(57)【要約】      （修正有）【課題】ビタミンＣ成分を放散する温風ヒーターを提供する。【解決手段】温風ヒーターは、ヒーター本体１０Ａを有し、その表面に収容溝１２Ａが形成され、該収容溝１２Ａに抗酸化作用やオゾン殺菌作用、除臭作用を有するビタミンＣ成分を含む放散体２０Ａが設置されることを特徴とする。【選択図】図２
0003111568.tif 000002
【実用新案登録請求の範囲】
【請求項１】
ヒーター本体を有し、その表面に収容溝が形成され、該収容溝に抗酸化作用やオゾン殺菌作用、除臭作用を有するビタミンＣ成分を含む放散体が設置されることを特徴とするビタミンＣ成分を放散する温風ヒーター。
【請求項２】
前記収容溝がヒーター本体の前面に形成されることを特徴とする請求項１に記載のビタミンＣ成分を放散する温風ヒーター。
【請求項３】
前記収容溝がヒーター本体の背面に形成され、該ヒーター本体に空気取入口を有する送風器が設けられると共に、該空気取入口が収容溝の内側に開設されることにより、該収容溝に面して空気を送風器に取入れることを特徴とする請求項１に記載のビタミンＣ成分を放散する温風ヒーター。
【考案の詳細な説明】
【技術分野】
【０００１】
本考案は、特にビタミンＣ成分を放散する温風ヒーターに関するものである。
【背景技術】
【０００２】
従来の温風ヒーターは、例えば、中華民国実用新案公告第１９９５６５号「改良型温風ヒーター」に示すように、外部カバーを有し、該外部カバーの一端に送風口が設けられ、該送風口の内部に送風器が設けられ、該送風器による風が電熱プレートを経由することにより温風を作り出すものが一般的である。
【０００３】
【特許文献１】中華民国実用新案公告第１９９５６５号「改良型温風ヒーター」
【考案の開示】
【考案が解決しようとする課題】
【０００４】
しかしながら、従来の温風ヒーターは、単に温風を出すことしかできなく、他の機能、例えばビタミンＣ成分やビタミンＣ成分を含む香りを放散するなどの機能を有しない。故に、従来の温風ヒーターは実用性に優れない。
【課題を解決するための手段】
【０００５】
本考案は、
ヒーター本体（１０Ａ）を有し、その表面に収容溝（１２Ａ）が形成され、該収容溝（１２Ａ）に抗酸化作用やオゾン殺菌作用、除臭作用を有するビタミンＣ成分を含む放散体（２０Ａ）が設置されることを特徴とするビタミンＣ成分を放散する温風ヒーター、を提供する。
【考案の効果】
【０００６】
本考案は、上記の課題を解決するものであり、ヒーター本体を有し、その表面に収容溝が形成され、該収容溝に抗酸化作用やオゾン殺菌作用、除臭作用を有するビタミンＣ成分を含む放散体が設置され、
更に、前記収容溝がヒーター本体の背面に形成され、該ヒーター本体に空気取入口を有する送風器が設けられると共に、該空気取入口が収容溝の内側に開設され、
更に、前記放散体は複数の孔部を有するプレート体であり、該プレート体上にビタミンＣ成分の粒子が付着しており、尚、前記放散体においては表面に複数の孔部を有するカートリッジを設け、該カートリッジ内に複数のビタミンＣ成分芳香剤を内装させてもよく、
更に、前記収容溝の開口部に孔部を有するプレート板を着脱可能に取付けた方がより好ましい。
【０００７】
上述したように、本考案の温風ヒーターには、通常の機能のほかに、ビタミンＣ成分を放散する機能を有するので、収容溝からビタミンＣ成分を放散することができる。
前記ビタミンＣ成分を放散することにより、次に示すような効果を提供できる。
１．室内のオゾン濃度が高くなることにより起きる人体の肺組織への悪影響を防ぐことができる。
２．室内の悪臭を除去することができる。
３．抗酸化作用により人体によい影響を与えることができる。
【考案を実施するための最良の形態】
【０００８】
以下、添付図面を参照して本考案の好適な実施の形態を詳細に説明する。
【実施例】
【０００９】
図１は本考案に係るビタミンＣ成分を放散する温風ヒーターの第１実施例の分解斜視図であり、図２は本考案に係るビタミンＣ成分を放散する温風ヒーターの第１実施例の分解斜視図であり、図３は本考案に係るビタミンＣ成分を放散する温風ヒーターの第１実施例の部分側面透視図であり、図４は本考案に係るビタミンＣ成分を放散する温風ヒーターの第１実施例の使用状態を示す斜視図であり、図５は本考案に係るビタミンＣ成分を放散する温風ヒーターの第２実施例の分解斜視図であり、図６は本考案に係るビタミンＣ成分を放散する温風ヒーターの第３実施例の分解斜視図である。
【００１０】
図１乃至図４に示すように、本考案に係るビタミンＣ成分を放散する温風ヒーターの第１実施例は、ヒーター本体（１０Ａ）と、放散体（２０Ａ）と、カバー板（３０Ａ）とを有し、該ヒーター本体（１０Ａ）の前面下側に吹出口（１１）が形成されると共に、背面に方形の収容溝（１２Ａ）が形成され、更に内部に送風器（１３１）が設けられ、該送風器（１３１）の後端に空気取入口（１３１）が開設されることにより、空気を取入れる構成である。また、前記送風器（１３）の前端下側に送風口（１３２）が形成され、該送風口（１３２）は内部に加熱器が設けられる矩形枠体であるダクト（１４）に結合され、該ダクト（１４）の前端は、前記吹出口（１１）と対応している。
【００１１】
前記放散体（２０Ａ）は、収容溝（１２Ａ）の内部に取付けられ、また、本実施例中では、放散体（２０Ａ）は複数の孔部（符号なし）を有する方形のプレート体（２１Ａ）であり、そのプレート体上にビタミンＣ成分の粒子を付着させることにより、抗酸化作用やオゾン殺菌作用、除臭作用を達成している。
【００１２】
前記カバー板（３０Ａ）は、複数の孔部を有するプレート体（２１Ａ）を収容した後、着脱可能にヒーター本体（１０Ａ）の開口部（符号なし）に嵌め込まれる。
【００１３】
図５に示すように、本考案に係るビタミンＣ成分を放散する温風ヒーターの第２実施例は、前記第１実施例における放散体（２０Ａ）を改良した放散体（２０B）を使用したものであり、該放散体（２０B）は、表面に複数の孔部（符号なし）を有する方形のカートリッジ（２１B）であり、そのカートリッジ（２１B）の内部に複数のビタミンＣ成分芳香剤（２２Ｂ）をセットすることにより、抗酸化作用やオゾン殺菌作用、除臭作用を達成するものである。なお、第２実施例における他の部分については、前記第１実施例と同様であるため、説明を省略する。
【００１４】
図６に示すように、本考案に係るビタミンＣ成分を放散する温風ヒーターの第３実施例は、前記第１、第２実施例と異なる、収容溝の設置方法を示すものであり、その収容溝（１２Ｂ）は方形を呈し、ヒーター本体（１０Ｂ）の前面に形成され、更に、放散体（２０Ｃ）は、複数の孔部（符号なし）を有する方形のプレート体（２１Ｃ）であると共に、前記収容溝（１２Ｂ）の内部に取付けられ、そのプレート体上にビタミンＣ成分の粒子を付着させることにより、抗酸化作用やオゾン殺菌作用、除臭作用を達成している。また、カバー板（３０Ｂ）は、複数の孔部を有するプレート体（２１Ｃ）を収容した後、着脱可能にヒーター本体（１０Ｂ）の開口部（符号なし）に嵌め込まれる。
【００１５】
更に、第３実施例の放散体（２０Ｃ）は、前記第２実施例の如く、カートリッジの内部に複数のビタミンＣ成分芳香剤をセットするタイプでもよい。
【００１６】
また、前記第１実施例を実施する時は、図１乃至図４に示すように、送風器（１３）により空気取入口（１３１）に空気が取入れられ、この時、外部の気流によりカバー板（３０Ａ）及び収容溝（１２Ａ）内の放散体（２０Ａ）が送られ、それと同時に、その中に含まれるビタミンＣ成分が吹出口（１１）から温風と一緒に外部へ吹出される。
【００１７】
一方、前記第３実施例を実施する時は、図６に示すように、収容溝（１２Ｂ）内の放散体（２０Ｃ）に含まれるビタミンＣ成分或いはビタミンＣ成分を含む芳香剤がカバー板（３０Ｂ）から外部へ放散される。
【００１８】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１９】
【図１】本考案に係るビタミンＣ成分を放散する温風ヒーターの第１実施例の分解斜視図である。
【図２】本考案に係るビタミンＣ成分を放散する温風ヒーターの第１実施例の分解斜視図である。
【図３】本考案に係るビタミンＣ成分を放散する温風ヒーターの第１実施例の部分側面透視図である。
【図４】本考案に係るビタミンＣ成分を放散する温風ヒーターの第１実施例の使用状態を示す斜視図である。
【図５】本考案に係るビタミンＣ成分を放散する温風ヒーターの第２実施例の分解斜視図である。
【図６】本考案に係るビタミンＣ成分を放散する温風ヒーターの第３実施例の分解斜視図である。
【符号の説明】
【００２０】
１０Ａ，１０Ｂ      ヒーター本体
１１        吹出口
１２Ａ，１２Ｂ      収容溝
１３        送風器
１３１      空気取入口
１３２      送風口
１４        ダクト
２０Ａ，２０Ｂ，２０Ｃ      放散体
２１Ａ，２１Ｃ      プレート体
２１Ｂ      カートリッジ
２２Ｂ      ビタミンＣ成分芳香剤
３０Ａ，３０Ｂ      カバー板
【図１】
0003111568.tif 000003
【図２】
0003111568.tif 000004
【図３】
0003111568.tif 000005
【図４】
0003111568.tif 000006
【図５】
0003111568.tif 000007
【図６】
0003111568.tif 000008